(57)【要約】      （修正有）【課題】吸水効果及び乾燥感に優れると共に良好な抗菌効果を備えた抗菌吸水パイルマット等の抗菌吸水パイル保持体を提供する。【解決手段】略円柱形状をなし、軸線を中心としてほぼ径方向に放射状をなすように密設され且つ軸線方向に密設された多数の０．０３〜１．５デニールの疎水性繊維のフィラメントＦを、パイル形成糸の軸線に沿う２〜１２本の２０〜３００デニールの疎水性繊維の抗菌剤含有モノフィラメント糸からなる糸状芯部Ｃにより保持したパイルＰの基部を吸水性を有する基体に結合する。略円柱形状外周面はフィラメントＦの先端部により形成され、径方向内方に向かうほどフィラメントＦが高密度状態となるものである抗菌吸水パイル保持体。【選択図】図１
2015048545.tif 000002
【特許請求の範囲】
【請求項１】
吸水性を有する基体と多数のパイルを備えてなり、前記各パイルの基部が基体に結合された状態で、前記多数のパイルが基体上に配設されているパイル保持体であって、
前記各パイルを形成するパイル形成糸は、略円柱形状をなし、そのパイル形成糸の軸線を中心としてほぼ径方向に放射状をなすように密設され且つ軸線方向に密設された多数の０．０３乃至１．５デニールの疎水性繊維のフィラメントと、パイル形成糸の軸線に沿う複数の疎水性繊維のモノフィラメント糸からなる糸状芯部を有し、
前記多数のフィラメントは、前記糸状芯部により保持され、
前記糸状芯部を構成するモノフィラメント糸の少なくとも何れかが抗菌剤を含有し、
前記パイル形成糸の略円柱形状外周面は、前記フィラメントの先端部により形成され、
径方向内方に向かうほど前記フィラメントが高密度状態となるものであることを特徴とする抗菌吸水パイル保持体。
【請求項２】
上記糸状芯部が、パイル形成糸の軸線に沿う２乃至３００本の１デニール乃至１０００デニールの疎水性繊維のモノフィラメント糸からなるものである請求項１の抗菌吸水パイル。
【請求項３】
上記糸状芯部が、パイル形成糸の軸線に沿う２乃至２４本の１０デニール乃至３００デニールの疎水性繊維のモノフィラメント糸からなるものである請求項１の抗菌吸水パイル。
【請求項４】
上記パイル形成糸により形成されたパイルが、先端が自由端である略円柱形状をなすものである請求項１乃至３の何れか１項に記載の抗菌吸水パイル保持体。
【請求項５】
上記略円柱形状をなすパイルの先端部が、上記糸状芯部により保持されて放射状をなすよう密設された多数の０．０３乃至１．５デニールの疎水性繊維のフィラメントにより形成されて略凸曲面形状をなすものであり、
その略凸曲面は、それらのフィラメントの先端部により形成されている請求項４記載の抗菌吸水パイル保持体。
【請求項６】
上記パイルが、その高さ／基部直径の比が１／２乃至３／１であり、基体の表面に対し自立性を有するものである請求項５記載の抗菌吸水パイル保持体。
【請求項７】
上記パイルが、パイル形成糸が環状をなすように形成されたループ状のパイルである請求項１乃至３の何れか１項に記載の抗菌吸水パイル保持体。
【請求項８】
上記ループ状のパイルが、（ループ状のパイルの高さ）／（パイル形成糸の直径）の比が１／１乃至５／１であり且つ（ループ状のパイルの両基部の中心同士の距離）／（パイル形成糸の直径）の比が３／１以下であって、ループ状のパイルの両基部において多数のフィラメントにより基体上に支持され、基体の表面に対し自立性を有するものである請求項７記載の抗菌吸水パイル保持体。
【請求項９】
上記ループ状のパイルが、［（パイル形成糸の長さ）−（ループ状のパイルの両基部の中心同士の距離）］／（パイル形成糸の直径）の比が１／１乃至１０／１であり且つ（ループ状のパイルの両基部の中心同士の距離）／（パイル形成糸の直径）の比が３／１以下であって、ループ状のパイルの両基部において多数のフィラメントにより基体上に支持され、基体の表面に対し自立性を有するものである請求項７記載の抗菌吸水パイル保持体。
【請求項１０】
上記パイル形成糸における疎水性繊維のモノフィラメント糸からなる糸状芯部が親水化処理された請求項１乃至９の何れか１項に記載の抗菌吸水パイル保持体。
【請求項１１】
上記パイルにおけるパイル形成糸を構成する多数の０．０３乃至１．５デニールの疎水性繊維のフィラメントのうち、所定割合のフィラメントであってパイルの周方向及び軸線方向に分散状に位置するもの又は全フィラメントが、抗菌剤を含有する請求項１乃至１０の何れか１項に記載の抗菌吸水パイル保持体。
【請求項１２】
上記パイルにおけるパイル形成糸を構成する多数の０．０３乃至１．５デニールの疎水性繊維のフィラメント中に、パイル形成糸の軸線を中心としてほぼ径方向に放射状をなす１．５乃至５デニールの疎水性繊維のフィラメントであって抗菌剤を含有するものを、パイルの周方向及び軸線方向において分散状に有する請求項１乃至１０の何れか１項に記載の抗菌吸水パイル保持体。
【発明の詳細な説明】
【技術分野】
【０００１】
本発明は、湯上りの濡れた足等の水分を吸収するための抗菌吸水パイル保持体に関する。
【背景技術】
【０００２】
特開２００８−７３１７３号公報には、
基布と多数のパイルを備えてなり、前記各パイルの基部が基布に結合された状態で、前記多数のパイルが基布上に配設されているパイルマットであって、
前記各パイルは、略円柱形状をなし、０．０５乃至０．８デニールの非吸水性のフィラメントが、パイルの軸線を中心としてほぼ径方向に放射状をなすように密設され且つ軸線方向に密設されてなり、
前記パイルの略円柱形状外周面は、前記各フィラメントの先端部により形成されていることを特徴とする高吸水高乾燥性パイルマット
の発明が開示されている。
【０００３】
このパイルマットは、０．０５乃至０．８デニールの極めて細い非吸水性のフィラメントがパイルの軸線を中心としてほぼ径方向に放射状をなすように密設され且つ軸線方向に密設されてなるパイルが基布上に多数配設されたものであるため、各パイルが比較的多量の水を各円形状横断面の内方に向かって迅速に吸水し得、水分を吸収した状態のパイルの略円柱形状外周部は比較的乾燥した状態を維持し易く、べとつき感が生じにくく、マット上でパイルにより吸水するためのマット、特に足拭用のマット等として適している。
【０００４】
しかしながら、このパイルマットを例えば複数の者が湯上りの足拭きに用いる場合、先に吸水した水分がパイルの内方に滞留していると、次の吸水が十分に行われにくくなるおそれがあった。また、吸水した状態のパイルマットを長く放置した場合にカビが繁殖し易い状態となるおそれがあった。
【先行技術文献】
【特許文献】
【０００５】
【特許文献１】特開２００８−７３１７３号公報
【発明の概要】
【発明が解決しようとする課題】
【０００６】
本発明は、従来技術における上記のような課題に鑑み行われたものであって、その目的とするところは、吸水効果及び乾燥感に優れると共に良好な抗菌効果を備えた抗菌吸水パイルマット等の抗菌吸水パイル保持体を提供することにある。
【課題を解決するための手段】
【０００７】
本発明の抗菌吸水パイル保持体は、次のように表すことができる。
【０００８】
(1) 吸水性を有する基体と多数のパイルを備えてなり、前記各パイルの基部が基体に結合された状態で、前記多数のパイルが基体上に配設されているパイル保持体であって、
前記各パイルを形成するパイル形成糸は、略円柱形状をなし、そのパイル形成糸の軸線を中心としてほぼ径方向に放射状をなすように密設され且つ軸線方向に密設された多数の０．０３乃至１．５デニールの疎水性繊維のフィラメントと、パイル形成糸の軸線に沿う疎水性繊維のモノフィラメント糸からなる糸状芯部を有し、
前記多数のフィラメントは、前記糸状芯部により保持され、
前記糸状芯部を構成するモノフィラメント糸の少なくとも何れかが抗菌剤を含有し、
前記パイル形成糸の略円柱形状外周面は、前記フィラメントの先端部により形成され、
径方向内方に向かうほど前記フィラメントが高密度状態となるものであることを特徴とする抗菌吸水パイル保持体。
【０００９】
吸水性を有する基体上に多数配設されているパイルを形成するパイル形成糸は、その軸線に沿う疎水性繊維のモノフィラメント糸からなる糸状芯部により保持された０．０３乃至１．５デニールの極めて細い多数の疎水性繊維のフィラメントが、パイル形成糸の軸線を中心としてほぼ径方向に放射状をなすように密設され且つ軸線方向に密設されてなり、径方向内方に向かうほど前記フィラメントが高密度状態となる。
【００１０】
そのため、毛管現象により、パイル形成糸の内方に向かって強い吸水力が作用するので、各パイルのパイル形成糸は、比較的多量の水を径方向内方に向かって迅速に吸水し得る。
【００１１】
逆に、吸水したパイル形成糸における略円柱形状外周部は、毛管現象により、水分含有率が低い状態となる。而も、略円柱形状をなすパイル形成糸の略円柱形状外周面部は、疎水性繊維のフィラメントの先端部により形成されているので、繊維が占める面積が比較的小さく、且つ、繊維自体が非湿潤状態を維持する。
【００１２】
更に、各パイルにおけるパイル形成糸は、その軸線に沿う、疎水性繊維のモノフィラメント糸からなる糸状芯部を有するので、各パイルのパイル形成糸において、毛管現象により径方向内方に吸収された水分は、糸状芯部に沿って、吸水性を有する基体へ効率的に導かれる。
【００１３】
そのため、各パイルのパイル形成糸において、径方向内方に吸収された水分がその中央部に滞留することが防がれると共に、パイル形成糸の略円柱形状外周面部から径方向内方への更なる吸水を妨げることや、パイル形成糸の外周部にべとつき感が生じることが防がれる。
【００１４】
また、パイル形成糸の径方向内方に吸収されて糸状芯部に沿って吸水性を有する基体に導かれる水分には、その糸状芯部を構成するモノフィラメント糸の少なくとも何れかが含有する抗菌剤による抗菌効果が及び、而も、パイル形成糸の径方向外方側は水分含有率が低くなるので、各パイル及び吸水性を有する基体が効果的に抗菌性能を発揮し得る。
【００１５】
従って、このパイル保持体は、湯上りの濡れた足等の水分を迅速に多量に吸水し得、而もべとつき感が生じにくい吸水性及び乾燥感を実現し得ると共に、良好な抗菌効果を発揮し得る。
【００１６】
そのためこのパイル保持体は、上記パイルにより吸水するために使用するものとして最適である。
【００１７】
更に、このパイル保持体は、足拭用のものとして最適である。また、べとつき感が生じにくい吸水性及び乾燥感を実現し得ると共に、良好な抗菌効果を発揮し得るため、パイルによって吸水する清掃用具、傘収納具、お手拭き等に適する。
【００１８】
(2) 上記糸状芯部が、パイル形成糸の軸線に沿う２乃至３００本の１デニール乃至１０００デニールの疎水性繊維のモノフィラメント糸からなる(1)記載の抗菌吸水パイル。
【００１９】
(3) 上記糸状芯部が、パイル形成糸の軸線に沿う２乃至２４本の１０デニール乃至３００デニールの疎水性繊維のモノフィラメント糸からなるものである(1)記載の抗菌吸水パイル。
【００２０】
(4) 上記パイル形成糸により形成されたパイルが、先端が自由端である略円柱形状をなすものである(1)乃至(3)の何れかに記載の抗菌吸水パイル保持体。
【００２１】
この場合のパイルは、基部から先端部に至るまで略円柱形状をなし、その軸線に沿う疎水性繊維のモノフィラメント糸からなる糸状芯部により、０．０３乃至１．５デニールの極めて細い多数の疎水性繊維のフィラメントが、パイル形成糸の軸線を中心としてほぼ径方向に放射状をなすように密設され且つ軸線方向に密設された状態で保持されてなり、パイルの略円柱形状外周面はフィラメントの先端部により形成され、径方向内方に向かうほどフィラメントが高密度状態となる。
【００２２】
パイルの略円柱形状部分においては径方向内方に向かって極細疎水性フィラメントの密度が高くなって毛管現象により強い吸水力が作用する。そのため、各パイルは、比較的多量の水を径方向内方に向かって迅速に吸水し得る。
【００２３】
逆に、吸水したパイルの略円柱形状外周部は、毛管現象により、水分含有率が低い状態となる。而も、パイルの略円柱形状外周面部は、疎水性繊維のフィラメントの先端部により形成されているので、繊維が占める面積が比較的小さく、且つ、繊維自体が非湿潤状態を維持する。
【００２４】
更に、各パイルは、その軸線に沿う、疎水性繊維のモノフィラメント糸からなる糸状芯部を有するので、各パイルにおいて、毛管現象により径方向内方に吸収された水分は、糸状芯部に沿って、吸水性を有する基体へ効率的に導かれる。
【００２５】
そのため、各パイルの径方向内方に吸収された水分がパイルの径方向中央部に滞留することが防がれると共に、パイルの略円柱形状外周面部から径方向内方への更なる吸水を妨げることや、パイルの略円柱形状外周面部にべとつき感が生じることが防がれる。
【００２６】
また、パイルの径方向内方に吸収されて糸状芯部に沿って吸水性を有する基体に導かれる水分には、その糸状芯部を構成するモノフィラメント糸の少なくとも何れかが含有する抗菌剤による抗菌効果が及び、而も、パイルの径方向外方側は水分含有率が低くなるので、各パイル及び吸水性を有する基体が効果的に抗菌性能を発揮し得る。
【００２７】
従って、このパイル保持体は、湯上りの濡れた足等の水分を迅速に吸水し得、而もべとつき感が生じにくい吸水性及び乾燥感を実現し得ると共に、良好な抗菌効果を発揮し得る。
【００２８】
(5) 上記略円柱形状をなすパイルの先端部が、上記糸状芯部により保持されて放射状をなすよう密設された多数の０．０３乃至１．５デニールの疎水性繊維のフィラメントにより形成されて略凸曲面形状をなすものであり、
その略凸曲面は、それらのフィラメントの先端部により形成されている(4)記載の抗菌吸水パイル保持体。
【００２９】
この場合、パイルの先端部は、糸状芯部により保持されて放射状をなすよう密設された多数の０．０３乃至１．５デニールの疎水性繊維のフィラメントにより形成されて略凸曲面形状をなすものであり、その略凸曲面は、それらのフィラメントの先端部により形成されている。
【００３０】
従って、このパイルの先端部においては、三次元的に内方（例えば上向きに凸の略半球であればその略半球の底面中央部）に向かって前記極細疎水性フィラメントの密度が高くなって毛管現象により強い吸水力が作用し、先端部以外の略円柱形状部分においては径方向内方に向かって極細疎水性フィラメントの密度が高くなって毛管現象により強い吸水力が作用する。そのため、各パイルは、比較的多量の水を径方向内方に向かって迅速に吸水し得る。
【００３１】
逆に、吸水したパイルの先端部の略凸曲面状外周部やパイルの略円柱形状外周部は、毛管現象により、水分含有率が低い状態となる。而も、パイルの先端部の略凸曲面状外周部やパイルの略円柱形状外周面部は、疎水性繊維のフィラメントの先端部により形成されているので、繊維が占める面積が比較的小さく、且つ、繊維自体が非湿潤状態を維持する。
【００３２】
更に、各パイルは、その軸線に沿う、疎水性繊維のモノフィラメント糸からなる糸状芯部を有するので、各パイルにおいて、毛管現象により先端部の内方や径方向内方に吸収された水分は、糸状芯部に沿って、吸水性を有する基体へ効率的に導かれる。
【００３３】
そのため、各パイルの先端部の内方や各パイルの径方向内方に吸収された水分がパイルの径方向中央部に滞留することが防がれると共に、パイルの先端部の略凸曲面状外周部から内方へ又はパイルの略円柱形状外周面部から径方向内方への更なる吸水を妨げることや、パイルの先端部の略凸曲面状外周部やパイルの略円柱形状外周面部にべとつき感が生じることが防がれる。
【００３４】
また、パイルの先端部の内方又はパイルの径方向内方に吸収されて糸状芯部に沿って吸水性を有する基体に導かれる水分には、その糸状芯部を構成するモノフィラメント糸の少なくとも何れかが含有する抗菌剤による抗菌効果が及び、而も、パイルの先端部の表面側やパイルの径方向外方側は水分含有率が低くなるので、各パイル及び吸水性を有する基体が効果的に抗菌性能を発揮し得る。
【００３５】
従って、このパイル保持体は、湯上りの濡れた足等の水分を迅速に吸水し得、而もべとつき感が生じにくい吸水性及び乾燥感を実現し得ると共に、良好な抗菌効果を発揮し得る。
【００３６】
(6) 上記パイルが、その高さ／基部直径の比が１／２乃至３／１であり、基体の表面に対し自立性を有するものである(5)記載の抗菌吸水パイル保持体。
【００３７】
この場合、パイルの先端部は、糸状芯部により保持されて放射状をなすよう密設された多数の０．０３乃至１．５デニールの疎水性繊維のフィラメントにより形成されて略凸曲面形状をなす。パイルの基部側は、略円柱形状をなし、その軸線に沿う糸状芯部により、０．０３乃至１．５デニールの多数の疎水性繊維のフィラメントが、パイル形成糸の軸線を中心としてほぼ径方向に放射状をなすように密設され且つ軸線方向に密設された状態で保持されてなり、パイルの略円柱形状外周面はフィラメントの先端部により形成されている。而も、パイルの高さ／基部直径の比は１／２乃至３／１と基部直径に比し高さが比較的低い。
【００３８】
よってパイルは自立性に優れ、毛管現象により径方向内方に吸収された水分は、糸状芯部に沿って、吸水性を有する基体へより効率的に導かれる。そのため、各パイルのパイル形成糸において、径方向内方に吸収された水分がその中央部に滞留することがより効果的に防がれると共に、パイル形成糸の略円柱形状外周面部から径方向内方への更なる吸水を妨げることや、パイル形成糸の外周部にべとつき感が生じることがより確実に防がれる。
【００３９】
また、パイル形成糸の径方向内方に吸収されて糸状芯部に沿って吸水性を有する基体に導かれる水分には、その糸状芯部を構成するモノフィラメント糸の少なくとも何れかが含有する抗菌剤による抗菌効果が及び、而も、パイル形成糸の径方向外方側は水分含有率がより確実に低下するので、各パイル及び吸水性を有する基体がより効果的に抗菌性能を発揮し得る。
【００４０】
(7) 上記パイルが、パイル形成糸が環状をなすように形成されたループ状のパイルである(1)乃至(3)の何れかに記載の抗菌吸水パイル保持体。
【００４１】
この場合のパイルは、パイル形成糸が環状をなすように形成されたループ状のパイルであるから、略円柱形状をなすパイル形成糸が湾曲してループ状のパイルを形成し、基体に結合された基部を２箇所に有する。
【００４２】
(8) 上記ループ状のパイルが、（ループ状の「パイルの高さ）／（パイル形成糸の直径）の比が１／１乃至５／１であり且つ（ループ状のパイルの両基部の中心同士の距離）／（パイル形成糸の直径）の比が３／１以下であって、ループ状のパイルの両基部において多数のフィラメントにより基体上に支持され、基体の表面に対し自立性を有するものである(7)記載の抗菌吸水パイル保持体。
【００４３】
(9) 上記ループ状のパイルが、［（パイル形成糸の長さ）−（ループ状のパイルの両基部の中心同士の距離）］／（パイル形成糸の直径）の比が１／１乃至１０／１であり且つ（ループ状のパイルの両基部の中心同士の距離）／（パイル形成糸の直径）の比が３／１以下であって、ループ状のパイルの両基部において多数のフィラメントにより基体上に支持され、基体の表面に対し自立性を有するものである(7)記載の抗菌吸水パイル保持体。
【００４４】
(8)及び(9)の抗菌吸水パイル保持体のループ状のパイルを形成するパイル形成糸は、略円柱形状をなし、フィラメントが、パイル形成糸の軸線を中心としてほぼ径方向に放射状をなすように密設され且つ軸線方向に密設されてなり（すなわち、フィラメントが径方向に放射状をなすように密設され且つ軸線方向に平行状に密設配置された構造をなし）、その略円柱形状外周面は、前記フィラメントの先端部により形成されている。
【００４５】
このようなパイル形成糸により形成されたループ状のパイルは、
（ループ状のパイルの高さ）／（パイル形成糸の直径）の比が１／１乃至５／１、
或いは、
［（パイル形成糸の長さ）−（ループ状のパイルの両基部の中心同士の距離）］／（パイル形成糸の直径）の比が１／１乃至１０／１
すなわちパイル形成糸の直径に比し高さが低いものであり、
且つ
（ループ状のパイルの両基部の中心同士の距離）／（パイル形成糸の直径）の比が３／１以下、
すなわちループ状のパイルの両基部の中心同士の間が広すぎないものである。
【００４６】
そのためループ状のパイルが、両基部において多数のフィラメントにより基体上に支持され、その両基部から立ち上がったパイルがループ状に連結し、而もパイル形成糸の直径に比し高さが低く且つループ状のパイルの両基部の中心同士の間が広すぎないので、これらの相乗効果により、極めて良好な自立性とループ状のパイルの高さ方向の押圧に対する柔軟な弾力性を有する。
【００４７】
この点をより詳しく述べるならば、
フィラメントが径方向に放射状をなすように密設され且つ軸線方向に平行状に密設配置された構造をなすパイル形成糸が、所定の面（ループ面）に沿って湾曲してループ状のパイルを形成し、そのループ状のパイルが、両基部が基体に結合された状態で基体上に配設されており、従って、ループ状のパイルの内周側においては、密設されたフィラメントのうち軸線方向において近接した位置のフィラメント同士が、互いに平行な状態から、やや角度が付いて重なり合ったり、交差したり、互いに圧縮し合ったりするような状態となる
という構成により、そのループ状のパイル、すなわち、所定の面に沿ったループを形成したパイルは、
(A) ループ状のパイルの両基部においては、径方向に放射状をなすように密設され且つ軸線方向に密設された多数のフィラメントにより基体上に支持され、
(B) ループ状のパイルの内周側においては、密設されたフィラメントのうち軸線方向において近接した位置のフィラメント同士が重なり合ったり、交差したり、互いに圧縮し合ったりするような状態となることにより、外力により生じ得るループ状のパイルの変形が抑えられてその安定性が高くなり、且つ、変形の抑制及び安定性の実現がフィラメント同士の重なり合い・交差・圧縮等によるものであるため、外力に対する柔軟な弾力性が実現され、
而も、
(C) パイル形成糸の直径に比し高さが低く且つループ状のパイルの両基部の中心同士の間が広すぎないため、
これらの相乗効果により、良好な自立性とループ状のパイルの高さ方向の押圧に対する柔軟な弾力性を有する。
【００４８】
そのため、これらのループ状のパイルは自立性に優れるので、毛管現象により径方向内方に吸収された水分は、糸状芯部に沿って、吸水性を有する基体へより効率的に導かれる。
【００４９】
これにより、各ループ状のパイルのパイル形成糸において、径方向内方に吸収された水分がその中央部に滞留することが防がれると共に、パイル形成糸の略円柱形状外周面部から径方向内方への更なる吸水を妨げることや、パイル形成糸の外周部にべとつき感が生じることがより確実に防がれる。
【００５０】
また、パイル形成糸の径方向内方に吸収されて糸状芯部に沿って吸水性を有する基体に導かれる水分には、その糸状芯部を構成するモノフィラメント糸の少なくとも何れかが含有する抗菌剤による抗菌効果が及び、而も、パイル形成糸の径方向外方側は水分含有率がより確実に低下するので、各パイル及び吸水性を有する基体がより効果的に抗菌性能を発揮し得る。
【００５１】
(10) 上記パイル形成糸における疎水性繊維のモノフィラメント糸からなる糸状芯部が親水化処理された(1)乃至(9)の何れかに記載の抗菌吸水パイル保持体。
【００５２】
この場合、毛管現象によりパイル形成糸の径方向内方に吸収された水分が、親水化処理された疎水性繊維のモノフィラメント糸からなる糸状芯部に沿って吸水性を有する基体へ効率的に導かれる。
【００５３】
そのため、優れた吸水性及び乾燥感の実現並びに抗菌効果の発揮が可能である。
【００５４】
(11) 上記パイルにおけるパイル形成糸を構成する多数の０．０３乃至１．５デニールの疎水性繊維のフィラメントのうち、所定割合のフィラメントであってパイルの周方向及び軸線方向に分散状に位置するもの又は全フィラメントが、抗菌剤を含有する(1)乃至(10)の何れかに記載の抗菌吸水パイル保持体。
【００５５】
各パイルのパイル形成糸においては、密設されたフィラメントによる毛管現象によって内方に向かって強い吸水力が作用し、比較的多量の水を径方向内方に向かって迅速に吸水する。
【００５６】
パイルにおけるパイル形成糸を構成する多数の０．０３乃至１．５デニールの疎水性繊維のフィラメントのうち、所定割合のフィラメントであってパイルの周方向及び軸線方向に分散状に位置するもの又は全フィラメントが、抗菌剤を含有するので、パイル形成糸の径方向内方に吸収されて糸状芯部に沿って吸水性を有する基体に導かれる水分には、これらのフィラメントが含有する抗菌剤による抗菌効果が及ぶ。
【００５７】
(12) 上記パイルにおけるパイル形成糸を構成する多数の０．０３乃至１．５デニールの疎水性繊維のフィラメント中に、パイル形成糸の軸線を中心としてほぼ径方向に放射状をなす１．５乃至５デニールの疎水性繊維のフィラメントであって抗菌剤を含有するものを、パイルの周方向及び軸線方向において分散状に有する(1)乃至(10)の何れかに記載の抗菌吸水パイル保持体。
【００５８】
各パイルのパイル形成糸においては、密設されたフィラメントによる毛管現象によって内方に向かって強い吸水力が作用し、比較的多量の水を径方向内方に向かって迅速に吸水する。
【００５９】
パイルにおけるパイル形成糸を構成する多数の０．０３乃至１．５デニールの疎水性繊維のフィラメント中に、パイル形成糸の軸線を中心としてほぼ径方向に放射状をなす１．５乃至５デニールの疎水性繊維のフィラメントであって抗菌剤を含有するものを、パイルの周方向及び軸線方向において分散状に有する。
【００６０】
これらの１．５乃至５デニールのフィラメントは、抗菌剤をより確実に含有して抗菌効果を発揮し得る。
【００６１】
パイル形成糸の径方向内方に吸収されて糸状芯部に沿って吸水性を有する基体に導かれる水分には、前記の１．５乃至５デニールのフィラメントが含有する抗菌剤による抗菌効果が及ぶ。
【発明の効果】
【００６２】
本発明の抗菌吸水パイル保持体は、湯上りの濡れた足等の水分を迅速に多量に吸水し得、而もべとつき感が生じにくい吸水性及び乾燥感を実現し得ると共に、良好な抗菌効果を発揮し得る。そのため、足拭用マット等の吸水用マットの他、パイルによって吸水する清掃用具、傘収納具、お手拭き等にも適する。
【図面の簡単な説明】
【００６３】
【図１】模式的正面図である。
【図２】パイルの模式的拡大横断面図である。
【図３】モール糸によりパイルを形成する工程の一部を示す模式図である。
【図４】別のパイルの模式的正面図である。
【発明を実施するための形態】
【００６４】
[1] 本発明の実施の形態を、図面を参照しつつ説明する。
【００６５】
(1) 図１乃至図３は、本発明の抗菌吸水パイル保持体の実施の形態の一例としての抗菌吸水パイルマットについてのものである。
【００６６】
この抗菌吸水パイルマットＡは、吸水性を有する基布Ｓ（基体）と多数の略円柱形状のパイルＰを備えてなり、前記各パイルＰの基部（図１における下端部）が基布Ｓに結合された状態で、前記多数のパイルＰが基布Ｓ上に配設されているものである。
【００６７】
基部が基布Ｓに結合された各パイルＰは、基部から先端部に至るまで略円柱形状（模式図である図１に示すように直立することを要するものではなく、一般的にある程度屈曲し易い。）をなし、その軸線に沿う疎水性繊維のモノフィラメント糸からなる糸状芯部Ｃにより、０．５デニールの極めて細い多数のポリエステル繊維のフィラメントＦ（２０℃相対湿度６５％において吸水率が５％以下の疎水性繊維。以下同じ。）が、パイルＰの軸線を中心としてほぼ径方向に放射状をなすように密設され且つ軸線方向に密設された状態で保持されてなり、パイルＰの略円柱形状外周面はフィラメントＦの先端部により形成されている。
【００６８】
パイルＰの先端部Ｐａは、糸状芯部Ｃにより保持されて放射状をなすよう密設された多数の０．５デニールのポリエステル繊維のフィラメントＦにより形成されて略凸曲面形状をなし、その略凸曲面は、それらのフィラメントＦの先端部により形成されている。
【００６９】
パイルＰの軸線に沿う糸状芯部Ｃは、４本の５０デニールのポリエステル繊維のモノフィラメント糸（２０℃相対湿度６５％において吸水率が５％以下の疎水性繊維。以下同じ。）からなる。各モノフィラメント糸は、抗菌剤が練り込まれることにより抗菌剤を含有している。
【００７０】
このパイルＰの先端部Ｐａにおいては、三次元的に内方（例えば上向きに凸の略半球であればその略半球の底面中央部）に向かって前記極細疎水性フィラメントＦの密度が高くなって毛管現象により強い吸水力が作用し、先端部Ｐａ以外の略円柱形状部分においては径方向内方に向かって極細疎水性フィラメントＦの密度が高くなって毛管現象により強い吸水力が作用する。そのため、各パイルＰは、比較的多量の水を径方向内方に向かって迅速に吸水し得る。
【００７１】
逆に、吸水したパイルＰの先端部Ｐａの略凸曲面状外周部やパイルＰの略円柱形状外周部は、毛管現象により、水分含有率が低い状態となる。而も、パイルＰの先端部Ｐａの略凸曲面状外周部やパイルＰの略円柱形状外周面部は、疎水性繊維のフィラメントＦの先端部により形成されているので、繊維が占める面積が比較的小さく、且つ、繊維自体が非湿潤状態を維持する。
【００７２】
更に、各パイルＰは、その軸線に沿う、疎水性繊維のモノフィラメント糸からなる糸状芯部Ｃを有するので、各パイルＰにおいて、毛管現象により先端部Ｐａの内方や径方向内方に吸収された水分は、糸状芯部Ｃに沿って、吸水性を有する基布Ｓへ効率的に導かれる。
【００７３】
そのため、各パイルＰの先端部Ｐａの内方や各パイルＰの径方向内方に吸収された水分がパイルＰの径方向中央部に滞留することが防がれると共に、パイルＰの先端部Ｐａの略凸曲面状外周部から内方へ又はパイルＰの略円柱形状外周面部から径方向内方への更なる吸水を妨げることや、パイルＰの先端部Ｐａの略凸曲面状外周部やパイルＰの略円柱形状外周面部にべとつき感が生じることが防がれる。
【００７４】
また、パイルＰの先端部Ｐａの内方又はパイルＰの径方向内方に吸収されて糸状芯部Ｃに沿って吸水性を有する基布Ｓに導かれる水分には、その糸状芯部Ｃを構成するモノフィラメント糸がそれぞれ含有する抗菌剤による抗菌効果が及び、而も、パイルＰの先端部Ｐａの表面側やパイルＰの径方向外方側は水分含有率が低くなるので、各パイルＰ及び吸水性を有する基布Ｓが効果的に抗菌性能を発揮し得る。
【００７５】
この抗菌吸水パイルマットＡにおける多数のパイルＰは、０．５デニールのポリエステル繊維のフィラメントＦを飾り糸とし、２本の５０デニールのポリエステル繊維の抗菌剤含有モノフィラメント糸を芯糸として用いた強撚（５００Ｔ／ｍ）のモール糸Ｍにより、次のように形成することができる。
【００７６】
すなわち、前記強撚モール糸Ｍを張力がかかった状態で吸水性を有する基布Ｓ（基体）の裏側から表側（図３における上側）へ貫通させることにより、基布Ｓの表側において強撚モール糸Ｍを二つ折り状に突出させ、突出した強撚モール糸Ｍの先端部である折り返し部に対し、突出の向きに引張力を作用させ、二つ折り状に突出した強撚モール糸Ｍの張力を維持した後、その引張力を解除することにより、強撚モール糸Ｍが自ら撚り合わさって１本のパイル状となる。これを熱処理することにより、撚り合わさった状態の強撚モール糸Ｍが更に強く自ら撚り合わさり、糸状芯部Ｃを中心として略円柱形状をなし、パイルＰの先端部Ｐａが放射状のフィラメントＦの先端部により略凸曲面形状をなす多数のパイルＰを形成することができる。
【００７７】
なお、図１乃至図３は、何れも説明のための模式図であり、実物を示したものではない。
【００７８】
(2) 図４は、本発明の抗菌吸水パイル保持体の実施の形態の別の例としての抗菌吸水パイルマットについてのものである。
【００７９】
この抗菌吸水パイルマットＢは、吸水性を有する基布Ｓ（基体）と多数のループ状のパイルＲを備えてなり、前記各ループ状のパイルＲの一対の基部が基布Ｓに結合された状態で、前記多数のパイルＲが基布Ｓ上に配設されているものである。
【００８０】
このループ状のパイルＲは、それぞれ、略円柱形状をなすパイル形成糸Ｔの全体又は部分が湾曲して、所定の平面に沿った環状（例えば実質上パイル形成糸Ｔのみにより形成される環状又はパイルＲの両基部がやや離れていてパイル形成糸Ｔと基布Ｓ［パイルＲの両基部間の基布Ｓ］により形成される環状）をなし、両基部（模式図である図４における両下端部）において基布Ｓに結合されたものとして形成することができる。
【００８１】
ループ状のパイルＲを形成しているパイル形成糸Ｔは、略円柱形状をなし、その軸線に沿う疎水性繊維のモノフィラメント糸からなる糸状芯部Ｃにより、０．５デニールの極めて細い多数のポリエステル繊維のフィラメントＦ（２０℃相対湿度６５％において吸水率が５％以下の疎水性繊維。以下同じ。）が、パイル形成糸Ｔの軸線を中心としてほぼ径方向に放射状をなすように密設され且つ軸線方向に密設された状態で保持されてなり、パイル形成糸Ｔの略円柱形状外周面はフィラメントＦの先端部により形成されている。
【００８２】
パイル形成糸Ｔの軸線に沿う糸状芯部Ｃは、４本の５０デニールのポリエステル繊維のモノフィラメント糸（２０℃相対湿度６５％において吸水率が５％以下の疎水性繊維。以下同じ。）からなる。各モノフィラメント糸は、抗菌剤が練り込まれることにより抗菌剤を含有している。
【００８３】
このループ状のパイルＲを形成するパイル形成糸Ｔにおいては、径方向内方に向かって極細疎水性フィラメントＦの密度が高くなって毛管現象により強い吸水力が作用する。そのため、各パイルＲは、比較的多量の水を径方向内方に向かって迅速に吸水し得る。
【００８４】
逆に、吸水したパイル形成糸Ｔの略円柱形状外周部は、毛管現象により、水分含有率が低い状態となる。而も、パイル形成糸Ｔの略円柱形状外周面部は、疎水性繊維のフィラメントＦの先端部により形成されているので、繊維が占める面積が比較的小さく、且つ、繊維自体が非湿潤状態を維持する。
【００８５】
更に、各パイルＲのパイル形成糸Ｔは、その軸線に沿う、疎水性繊維のモノフィラメント糸からなる糸状芯部Ｃを有するので、各パイルＲにおいて、毛管現象により径方向内方に吸収された水分は、糸状芯部Ｃに沿って、吸水性を有する基布Ｓへ効率的に導かれる。
【００８６】
そのため、各パイルＲのパイル形成糸Ｔにおける径方向内方に吸収された水分がパイル形成糸Ｔの径方向中央部に滞留することが防がれると共に、パイル形成糸Ｔの略円柱形状外周面部から径方向内方への更なる吸水を妨げることや、パイルＲの略円柱形状外周面部にべとつき感が生じることが防がれる。
【００８７】
また、パイル形成糸Ｔの径方向内方に吸収されて糸状芯部Ｃに沿って吸水性を有する基布Ｓに導かれる水分には、その糸状芯部Ｃを構成するモノフィラメント糸がそれぞれ含有する抗菌剤による抗菌効果が及び、而も、パイル形成糸Ｔの径方向外方側は水分含有率が低くなるので、各パイルＲ及び吸水性を有する基布Ｓが効果的に抗菌性能を発揮し得る。
【００８８】
この抗菌吸水パイルマットＢにおける多数のパイルＲは、０．５デニールのポリエステル繊維のフィラメントＦを飾り糸とし、２本の５０デニールのポリエステル繊維の抗菌剤含有モノフィラメント糸を芯糸として用いたモール糸を２本寄り合わせたもの（張力がかかっていなくても捩れないもの）を用いて、タフテッドループパイルマットの製法を利用して形成することができる。
【００８９】
なお、図４は説明のための模式図であり、実物を示したものではない。
【００９０】
[2] 本発明の実施の形態を、上記以外の形態を含めて更に説明する。
【００９１】
本発明の抗菌吸水パイル保持体は、吸水性を有する基体と多数のパイルを備えてなり、前記各パイルの基部が基体に結合された状態で、前記多数のパイルが基体上に配設されているものである。
【００９２】
(1) パイルは、略円柱形状をなすパイル形成糸により形成されている。
【００９３】
パイル形成糸は、そのパイル形成糸の軸線を中心としてほぼ径方向に放射状をなすように密設され且つ軸線方向に密設された多数の０．０３乃至１．５デニールの疎水性繊維のフィラメントと、パイル形成糸の軸線に沿う２乃至３００本の１乃至１０００デニールの疎水性繊維のモノフィラメント糸からなる糸状芯部を有するものとすることができる。パイル形成糸は、一般的にある程度屈曲し易い。
【００９４】
前記多数のフィラメントは、糸状芯部により保持され、パイル形成糸の略円柱形状外周面は、フィラメントの先端部により形成されている。フィラメントは、パイル形成糸の径方向内方に向かうほど高密度状態となる。
【００９５】
(2) 各フィラメントは、疎水性の連続長繊維が所要長さに切断された単繊維である。各フィラメントの所要長さは、通常はパイル形成糸の直径に応じたものとすることができる。
【００９６】
フィラメントとしては、ポリエステル系繊維の他、例えば、ポリプロピレン系繊維やポリエチレン系繊維を用いることができる。
【００９７】
フィラメントの吸水率は、２０℃相対湿度６５％において、例えば３％以下とすることができる。好ましくは、２０℃相対湿度６５％において２％以下、より好ましくは１％以下である。
【００９８】
各フィラメントの繊度は、０．０３乃至１．５デニール、好ましくは０．０５乃至０．８デニールである。
【００９９】
パイル形成糸の直径は、例えば３乃至１０ｍｍとすることができる。好ましくは４乃至８ｍｍである。
【０１００】
フィラメントは、パイル形成糸の軸線方向長１ｃｍ当り、例えば１万乃至２５万本程度（フィラメントの繊度の大小に応じ、本数は、それぞれ少な目及び多目とすることができる）が、そのパイル形成糸の軸線を中心としてほぼ径方向に放射状をなすように密設され且つ軸線方向に密設されたものとすることができる。先端が自由端である略円柱形状をなすパイル（例えば、二つ折り状のパイル形成糸が撚り合わさって形成されたもの）の場合、フィラメントは、パイルの軸線方向長１ｃｍ当り、例えば２万乃至５０万本程度（フィラメントの繊度の大小に応じ、本数は、それぞれ少な目及び多目とすることができる。フィラメントが０．７デニールの場合、パイルの軸線方向長１ｃｍ当り、例えば５万本程度。）が、そのパイルの軸線を中心としてほぼ径方向に放射状をなすように密設され且つ軸線方向に密設されたものとすることができる。
【０１０１】
パイル形成糸を構成する多数の０．０３乃至１．５デニールの疎水性繊維のフィラメントのうち、所定割合（例えば１０乃至５０％）のフィラメントであってパイルの周方向及び軸線方向に分散状に位置するもの又は全フィラメントが、抗菌剤を含有するものとすることができる。
【０１０２】
また、パイル形成糸を構成する多数の０．０３乃至１．５デニールの疎水性繊維のフィラメント中に、パイル形成糸の軸線を中心としてほぼ径方向に放射状をなす１．５乃至５デニールの疎水性繊維のフィラメントであって抗菌剤を含有するものを、パイルの周方向及び軸線方向において分散状に有するものとすることができる。
【０１０３】
抗菌剤を含有するフィラメントは、抗菌剤を練り込んでフィラメントを紡糸することにより得ることができる。
【０１０４】
抗菌剤を含有するフィラメントは、抗菌作用の耐久性が良好である。
【０１０５】
抗菌剤としては、細菌やカビ等の繁殖を抑えることができる無機系抗菌剤又は有機系抗菌剤を用いることができる。無機系抗菌剤としては、銀、亜鉛、銅等の金属イオンを利用するものを挙げることができ、有機系抗菌剤としては、イミダゾール系、チアゾール系、ピリジン系、トリアジン系、アミン系、四級アンモニウム系、フェノール系、クレゾール系、スルフォン系等の抗菌物質を挙げることができるが、何れもこれらに限るものではない。
【０１０６】
(3) パイル形成糸の軸線に沿う糸状芯部は、２乃至３００本、例えばポリエステル系繊維、ポリプロピレン系繊維、ポリエチレン系繊維等の疎水性繊維のモノフィラメント糸からなる。モノフィラメント糸の繊度は、１乃至１０００デニールである。
【０１０７】
糸状芯部は、好ましくは、２乃至２４本の１０デニール乃至３００デニールの疎水性繊維のモノフィラメント糸からなるものとすることができる。
【０１０８】
また、糸状芯部には、このようなモノフィラメント糸に加えて、加熱により溶融して前記多数のフィラメントを確実に保持するための熱融着糸を併用することができる。
【０１０９】
糸状芯部を構成するモノフィラメント糸は、少なくとも何れか（すなわち、複数本のモノフィラメント糸の一部又は全部）が抗菌剤を含有する。
【０１１０】
抗菌剤を含有するモノフィラメント糸は、抗菌剤を練り込んでモノフィラメント糸を紡糸することにより得ることができる。
【０１１１】
抗菌剤を含有するモノフィラメント糸は、抗菌作用の耐久性が良好である。
【０１１２】
抗菌剤としては、前記と同様の、細菌やカビ等の繁殖を抑えることができる無機系抗菌剤又は有機系抗菌剤を用いることができる。
【０１１３】
なお、糸状芯部を構成するモノフィラメント糸の少なくとも何れかが抗菌剤を含有するものとすることに加えて、パイル形成糸を構成するフィラメントおよび／またはモノフィラメント糸にバインダ等を用いて抗菌剤をコーティングする等の抗菌剤を付着させる処理を施すこともできる。
【０１１４】
またパイル形成糸における疎水性繊維のモノフィラメント糸からなる糸状芯部は、親水化処理されたものとすることができる。
【０１１５】
親水化処理とは、疎水性合成繊維、或いはその他の疎水性繊維における水に対する濡れ性を付与すること又は水に対する濡れ性を向上させることを言う。
【０１１６】
疎水性繊維に対する親水化処理としては、例えば、非イオン系、アニオン系等の各種界面活性剤や、ポリオキシエチレン変性シリコン、ポリオキシプロピレン変性シリコン等のポリエーテル変性シリコン系、ポリエチレンオキサイド・ポリプロピレンオキサイドブロック共重合物等のポリエーテル系、ポリグリセリンオレイン酸エステル等のポリグリセリンエステル系、ステアリン酸ジエタノールアミド等のアルキノールアミド系等の親水化剤による親水化処理が可能である。
【０１１７】
なお、パイル形成糸の軸線を中心としてほぼ径方向に放射状をなすように密設され且つ軸線方向に密設された多数の０．０３乃至１．５デニールの疎水性繊維のフィラメントも、このような親水化処理が施されたものとすることができる。
【０１１８】
(4) 本発明における、パイル形成糸により形成され、基部が基体に結合されたパイルは、先端が自由端である略円柱形状（模式図である図１に示すように直立することを要するものではなく、一般的にある程度屈曲し易い。）をなすものとすることができる。
【０１１９】
またこの場合、
略円柱形状をなすパイルの先端部が、上記糸状芯部により保持されて放射状をなすよう密設された多数の０．０３乃至１．５デニールの疎水性繊維のフィラメントにより形成されて略凸曲面形状をなすものであり、その略凸曲面は、それらのフィラメントの先端部により形成されているものとすることができる。
【０１２０】
このようなパイルは、例えば、０．０３乃至１．５デニールの疎水性繊維のフィラメントを飾り糸とし、複数の疎水性繊維のモノフィラメント糸を芯糸として用いた強撚（例えば５００乃至７００Ｔ／ｍ）のモール糸により、次のように形成することができる。すなわち、前記強撚モール糸を張力がかかった状態で基布（基体）の裏側から表側へ貫通させることにより、基布の表側において強撚モール糸を二つ折り状に突出させ、突出した強撚モール糸の先端部である折り返し部に対し、突出の向きに引張力を作用させ、二つ折り状に突出した強撚モール糸の張力を維持した後、その引張力を解除することにより、強撚モール糸が自ら撚り合わさって１本のパイル状となる。これを熱処理することにより、撚り合わさった状態の強撚モール糸が更に強く自ら撚り合わさり、糸状芯部を中心として略円柱形状をなし、パイルの先端部が放射状のフィラメントの先端部により略凸曲面形状をなすパイルを形成することができる。
【０１２１】
また、先端部が略凸曲面形状をなす前記パイルは、その高さ／基部直径の比が１／２乃至３／１であり、基体の表面に対し自立性を有するものとすることができる。
【０１２２】
(5) 本発明における、パイル形成糸により形成され、基部が基体に結合されたパイルは、パイル形成糸が環状をなすように形成されたループ状のパイルであるものとすることができる。
【０１２３】
このループ状のパイルは、略円柱形状をなすパイル形成糸の全体又は部分が湾曲して環状をなし、両基部において基布（基体）に結合されたものとすることにより形成することができる。このループ状のパイルは、所定の平面に沿って環状をなすものであることが好ましい。
【０１２４】
このようなループ状のパイルは、
（ループ状の「パイルの高さ）／（パイル形成糸の直径）の比が１／１乃至５／１であり且つ（ループ状のパイルの両基部の中心同士の距離）／（パイル形成糸の直径）の比が３／１以下であって、ループ状のパイルの両基部において多数のフィラメントにより基体上に支持され、基体の表面に対し自立性を有するもの、
又は、
［（パイル形成糸の長さ）−（ループ状のパイルの両基部の中心同士の距離）］／（パイル形成糸の直径）の比が１／１乃至１０／１であり且つ（ループ状のパイルの両基部の中心同士の距離）／（パイル形成糸の直径）の比が３／１以下であって、ループ状のパイルの両基部において多数のフィラメントにより基体上に支持され、基体の表面に対し自立性を有するもの
とすることができる。
【０１２５】
(6) 基体は、織布、不織布等の基布とするのが一般的であるが、必ずしもこれに限らない。
【符号の説明】
【０１２６】
Ａ    抗菌吸水パイルマット
Ｂ    抗菌吸水パイルマット
Ｃ    糸状芯部
Ｆ    フィラメント
Ｍ    モール糸
Ｐ    パイル
Ｐａ  先端部
Ｒ    パイル
Ｓ    基布
Ｔ    パイル形成糸
【図１】
2015048545.tif 000003
【図２】
2015048545.tif 000004
【図３】
2015048545.tif 000005
【図４】
2015048545.tif 000006